(57)【要約】【課題】雨が降る際に被っていても、頭部が濡れたり水滴が顔に落ちてきたりする問題が生じにくい笠型帽子を提供する。【解決手段】本考案の笠型帽子１００は、着用時に頭部に覆い被さる笠部１を有し、  笠部１は、笠部１の表側に位置し円錐面形状をなす不透水性のシート３と、シート３の裏側に設けられる芯材４とを備え、シート３は、円錐面における底側端部で芯材４に対して縫い合わされる一方、底側端部を除く残部では芯材４に対して縫い合わされていないことを特徴とする。【選択図】図１
0003225914.tif 000002
【実用新案登録請求の範囲】
【請求項１】
着用時に頭部に覆い被さる笠部を有する笠型帽子であって、
前記笠部は、該笠部の表側に位置し円錐面形状をなす不透水性のシートと、該シートの裏側に設けられる芯材とを備え、
前記シートは、円錐面における底側端部で前記芯材に対して縫い合わされる一方、該底側端部を除く残部では該芯材に対して縫い合わされていない笠型帽子。
【請求項２】
前記笠部は、円錐面形状をなし前記芯材の裏側に設けられる裏地を備え、
前記裏地は、前記残部で前記芯材のみに縫い合わされる請求項１に記載の笠型帽子。
【請求項３】
前記笠部の裏側に取り付けられ着用時に頭部周囲の少なくとも一部を覆うインナー部を備え、
前記笠部は、前記裏地の裏側に設けられる取着部を有し、
前記インナー部は、前記取着部に対して取り付けられる被取着部を有する請求項２に記載の笠型帽子。
【考案の詳細な説明】
【技術分野】
【０００１】
本考案は、頭部に被る帽子に関するものであり、特に笠状に形成された笠型帽子に関する。
【背景技術】
【０００２】
従前より、頭部に被る帽子は様々な形状のものが使用されている。例えば特許文献１には、笠状（円錐面形状）に形成された笠型帽子が示されている。このような笠型帽子は、主に晴天時の日除けを目的として使用されるものだけでなく、表側に不透水性（撥水性又は防水性を有する）のシートを設けて小雨時でも使用可能なものも知られている。
【先行技術文献】
【特許文献】
【０００３】
【特許文献１】特開平１１−１４０７１８号公報
【考案の概要】
【考案が解決しようとする課題】
【０００４】
図４は、表側に不透水性のシートを設けた従来の笠型帽子の一例を示している。図示した笠型帽子２００は、着用時に頭部に覆い被さる笠部２０１を有する。また笠部２０１は、円錐面形状をなし不透水性の素材で形成された比較的薄手のシート２０２と、例えばエチレン・酢酸ビニル共重合体（ＥＶＡ）製であって比較的厚手の芯材２０３と、透水性の素材で形成され、芯材２０３の裏側に設けられる裏地２０４とを備えている。
【０００５】
笠部２０１は、図示したように円錐面における頂点２０５と底２０６との中間と底２０６側の端部において、シート２０２、芯材２０３、裏地２０４の全てが縫い合わされている。すなわち笠部２０１には、縫い合わされた部位においてシート２０２、芯材２０３、裏地２０４を貫通する孔があいていて、またこの孔にはシート２０２、芯材２０３、裏地２０４を縫い合わせるための糸２０７、２０８が挿通されている。このため、雨が降る際に帽子を被っていると、この孔を通して、或いは挿通された糸に浸透して、笠部２０１の内側に雨が浸入する場合がある。特に、糸２０７によって縫い合わされた笠部２０１における円錐面における頂点２０５と底２０６との中間は、被った際に頭部や顔に近い位置であるため、内側に浸入した雨によって、頭部が濡れたり、水滴が顔に落ちてきたりすることがあった。
【０００６】
このような点に鑑み、本考案は、雨が降る際に被っていても、頭部が濡れたり水滴が顔に落ちてきたりする問題が生じにくい笠型帽子を提供することを目的とする。
【課題を解決するための手段】
【０００７】
本考案は、着用時に頭部に覆い被さる笠部を有する笠型帽子であって、前記笠部は、該笠部の表側に位置し円錐面形状をなす不透水性のシートと、該シートの裏側に設けられる芯材とを備え、前記シートは、円錐面における底側端部で前記芯材に対して縫い合わされる一方、該底側端部を除く残部では該芯材に対して縫い合わされていない笠型帽子である。
【０００８】
このような笠型帽子において、前記笠部は、円錐面形状をなし前記芯材の裏側に設けられる裏地を備え、前記裏地は、前記残部で前記芯材のみに縫い合わされることが好ましい。
【０００９】
また前記笠部の裏側に取り付けられ着用時に頭部周囲の少なくとも一部を覆うインナー部を備え、前記笠部は、前記裏地の裏側に設けられる取着部を有し、前記インナー部は、前記取着部に対して取り付けられる被取着部を有することが好ましい。
【考案の効果】
【００１０】
本考案の笠型帽子において、笠部の表側に位置する不透水性のシートは、円錐面における底側端部では芯材に対して縫い合わされる一方、底側端部を除く残部では芯材に対して縫い合わされていない。すなわち、被った際に頭部や顔に近い部位に孔はあいておらず、またこの孔を挿通する糸も無いため、雨が降る際に使用する場合でも頭部や顔に近い部位から雨が内側に浸入することがなく、快適に使用することができる。
【００１１】
また芯材の裏側に裏地を設ける場合は、見た目に優れるうえ、肌触りもよくなる。また裏地を、円錐面における底側端部を除く残部で芯材のみに縫い合わせる場合は、表側のシートに孔をあけることがないため、頭部や顔に近い部位からの雨の浸入を防止する機能が維持される。
【００１２】
そして、笠部に取着部を設けるとともに、笠部の裏側に取り付けられ着用時に頭部周囲の少なくとも一部を覆うインナー部に被取着部を設ける場合は、笠部に対してインナー部を着脱することができる。すなわち、例えば使用する際の周囲の環境に応じて（暑いときや寒いときに応じて）インナー部を取り付けたり取り外したりすることが可能であるため、より快適に使用することができる。
【図面の簡単な説明】
【００１３】
【図１】本考案に従う笠型帽子の一実施形態を示す、（ａ）は斜視図であり、（ｂ）は（ａ）に示すＡ−Ａに沿う断面図である。
【図２】図１に示す笠型帽子に関し、（ａ）は平面図であり、（ｂ）は底面図である。
【図３】インナー部の一実施形態に関し、一部を断面で示した斜視図である。
【図４】従来の笠型帽子を示す（ａ）は斜視図であり、（ｂ）は平面図であり、（ｃ）は（ａ）に示すＢ−Ｂに沿う断面図である。
【考案を実施するための形態】
【００１４】
以下、図面を参照して、本考案に従う笠型帽子の一実施形態について説明する。なお、本明細書等における「上」、「下」とは、着用者が頭に被った状態における着用者にとっての向きをいう。また「表」側とは、着用者が頭に被った状態においては「上」側であり、「裏」側とは、「下」側である。
【００１５】
図１は、本考案に従う笠型帽子の一実施形態を示す。本実施形態の笠型帽子１００は、図１、図２に示すように全体的に笠状（円錐面形状）に形成された笠部１と、図３に示すように着用時において着用者の頭部周囲の全域を覆って筒状になるインナー部２とで構成される。なおインナー部２は、笠部１の裏側に取り付けて使用される。
【００１６】
笠部１は、シート３、芯材４、裏地５を備えている。
【００１７】
シート３は、比較的薄手であって不透水性を有する（撥水性又は防水性を有する）素材によって、円錐面形状をなすように形作られている。このような素材としては、例えば生地（動物性或いは植物性の天然繊維や合成繊維、或いはこれらを混紡した繊維を使用して形成された織物、編物、不織布）の表面に撥水剤を塗布したものや、合成樹脂製のシート（例えばポリ塩化ビニル（ＰＶＣ）製のシート）が挙げられる。
【００１８】
芯材４は、比較的厚手であってコシのある素材（例えばエチレン・酢酸ビニル共重合体（ＥＶＡ））によって、円錐面形状をなすように形作られている。
【００１９】
裏地５は、本実施形態では比較的薄手であって透水性を有する素材（例えば、動物性或いは植物性の天然繊維や合成繊維、或いはこれらを混紡した繊維を使用して形成された織物、編物、不織布等の生地）を使用し、円錐面形状に形作られている。
【００２０】
そして裏地５の裏側には、図２（ｂ）に示すように取着部６が設けられている。本実施形態の取着部６は、紐状のもので輪を作り、その端部を裏地５に縫い合わせたものであり、周方向に間隔をあけて合計４つ設けている。なお取着部６の詳細な説明については後述する。
【００２１】
このようにシート３、芯材４、裏地５は、何れも円錐面形状をなすものである。本実施形態においては、使用する素材を扇形状に裁断し、母線となる部位同士を固着させる（素材同士を縫製してもよいし、接着剤や接着シートを使用して貼着してもよいし、）円錐面形状に仕上げている。
【００２２】
本実施形態の笠部１は、それぞれ円錐面形状に仕上げたシート３、芯材４、裏地５を準備し、これらを組み合わせて形成されている。具体的には、まず芯材４の裏側に裏地５を配置し、これらを縫い合わせることによって結合させる。図１（ｂ）、図２（ｂ）に示すように本実施形態では、円錐面における頂点７と底８との間（概ね、頂点７から底８に至る長さの半分の位置）において、糸９によって全周に亘って芯材４と裏地５とを縫い合わせている。
【００２３】
その後、芯材４の表側にシート３を被せるようにして配置し、図１（ｂ）に示すようにシート３の外縁部を表側から裏側に巻き込む。そして底８側の端部において、表側のシート３、芯材４、裏地５、及び裏側に巻き込んだシート３を、糸１０によって全周に亘って縫い合わせることにより、笠部１として仕上げている。
【００２４】
そして図３に示したインナー部２は、網目布１１、帯状布１２、スベリ１３、顎紐１４、及び被取着部１５を備えている。
【００２５】
網目布１１、帯状布１２、スベリ１３は、生地（動物性或いは植物性の天然繊維や合成繊維、或いはこれらを混紡した繊維を使用して形成された織物、編物、不織布）を使用して形成している。本実施形態の網目布１１は、目の大きな穴が設けられた網目状（メッシュ状）の生地を比較的幅広に裁断したものである。また帯状布１２は、本実施形態では織物の生地を、網目布１１よりも幅狭の帯状に裁断したものである。そしてスベリ１３は、吸水性のよい生地を帯状に裁断したものである。
【００２６】
そして、網目布１１の上下端部に帯状布１２を縫製する。また網目布１１の下端部においては、帯状布１２を縫製した側の反対側にスベリ１３を縫製する。
【００２７】
更に、網目布１１の下端部に顎紐１４を縫製し、上側の帯状布１２に被取着部１５を取り付ける。本実施形態の被取着部１５はボタンであって、周方向に間隔をあけて合計４つ取り付けている。
【００２８】
このようなインナー部２は、被取着部１５としてのボタンを、図２に示した輪状に形成した取着部６に引っ掛けることにより、筒状に丸められるようにして笠部１の裏側に取り付けることができる。
【００２９】
以上のような構成になる笠型帽子１００は、インナー部２が頭部の周囲を覆うようにして頭部に着用される。このようなインナー部２によって、笠型帽子１００は頭部に安定して保持されるため、着用時のズレ等が防止されて快適に使用できる。またインナー部２に設けたスベリ１３によって、額の汗を吸収することができる。
【００３０】
スベリ１３は、冷感を呈する生地を使用してもよい。ここで冷感を呈する生地とは、肌が触れた際に肌の熱を生地に素早く移動させることができる熱伝導率や熱拡散率が高い生地（接触冷感に優れる生地）や、肌の汗を吸い取ったり、水に浸したりして生地に水分を含ませ、その水分を素早く蒸発させて気化熱を急速に奪うことができる生地を意味する。具体的には、キュプラとポリエステルで構成される複合繊維（例えば、旭化成株式会社製のペアクール（登録商標）等）を使用したもの、ポリエステルとエバールとの複合繊維（例えば株式会社クラレ製のソフィスタ（登録商標）等）を使用したもの、ポリエチレン繊維（例えば東洋紡績株式会社のアイスマックス（登録商標）等）、マイカ鉱石を蒸着したナイロンとレーヨンを組み合わせたもの、中空糸のように繊維自体に空隙を持たせたり、隣接する繊維間に空隙を持たせたりして毛細管現象を発現させるもの（例えば帝人株式会社製のウェーブロン（登録商標）等）を挙げることができる。このような冷感を呈する生地をスベリ１３に使用することにより、頭部に接触した際に熱をスベリ１３に素早く移動させて冷たく感じさせたり、スベリ１３で吸収した汗が蒸発する際の気化熱によって冷感を与えたりすることが可能になるため、暑い環境下で使用する場合でも不快感を取り除くことができる。
【００３１】
本実施形態の笠型帽子１００は、図１（ｂ）に示すように、シート３が芯材４に縫い合わされている部位は底８側の端部のみであり、底８側の端部を除いた残部では、シート３は芯材４には縫い合わされていない。すなわち、シート３を貫通する孔やこの孔に挿通される糸は、装着時に頭部や顔に近い部位には設けられていないため、笠型帽子１００を雨が降る際に被っていても、頭部が濡れたり水滴が顔に落ちてきたりすることがなく、快適に使用することができる。
【００３２】
なお、上述したインナー部２は、笠部１から取り外すことが可能である。このため、汗を吸収して汚れた場合は、笠部１から取り外してインナー部２のみを洗濯することができる。また上述したインナー部２は、暑い環境下で使用する際に好適なものであったが、寒い環境下で笠型帽子１００を使用する場合は、例えば毛足の長いボア等を使用したインナー部に取り換えることにより快適に使用することができる。
【００３３】
以上、本考案の一実施形態について説明したが、本考案はかかる特定の実施形態に限定されるものではなく、上記の説明で特に限定しない限り、実用新案登録請求の範囲に記載された本考案の趣旨の範囲内において、種々の変形・変更が可能である。また、上記の実施形態における効果は、本考案から生じる効果を例示したに過ぎず、本考案による効果が上記の効果に限定されることを意味するものではない。
【００３４】
例えば、上述した実施形態において、取着部６及び被取着部１５は、周方向に間隔をあけて合計４つ設けられていたが、これらの配置や数は適宜選択すればよい。また取着部６は紐状のもので輪をつくり、被取着部１５はそれに引っ掛かるボタンであったが、笠部１にインナー部２を取り付けられるものであればよく、例えば面ファスナーや線ファスナー（スライドファスナー）を利用してもよい。またシート３、芯材４、裏地５等の素材も例示に過ぎず、使用目的や得られる効果等に応じて各種の素材を適宜使用することができる。
【符号の説明】
【００３５】
１：笠部
２：インナー部
３：シート
４：芯材
５：裏地
６：取着部
７：頂点
８：底
９：糸
１０：糸
１１：網目布
１２：帯状布
１３：スベリ
１４：顎紐
１５：被取着部
１００：笠型帽子
【図１】
0003225914.tif 000003
【図２】
0003225914.tif 000004
【図３】
0003225914.tif 000005
【図４】
0003225914.tif 000006